(57)【要約】      （修正有）【課題】残り湯を追い炊きし入浴する遣り方から新しいお風呂で入浴する入浴スタイルへ見直すことで、健康を維持向上させるスマートな入浴スタイルを具現化する残り湯利用システムを提供する。【解決手段】浴槽水栓４７の下流側に排水弁４２を有している残り湯利用システムにおいて、電気を用いてモータまたは流体の入り切りで開閉作動させるピストンシリンダー式やダイヤフラム式のポップアップ浴槽水栓４７、または、手動で開閉を行なうポップアップ浴槽水栓と、排水弁４２の開閉が、モードごとに電気的に連動するようにした。【選択図】図１
2015178755.tif 000002
【特許請求の範囲】
【請求項１】
浴槽水栓の下流側に排水弁を有している残り湯利用システムにおいて、
電気を用いてモータまたは流体の入り切りで開閉作動させるピストンシリンダー式やダイヤフラム式のポップアップ浴槽水栓または手動で開閉を行なうポップアップ浴槽水栓と前記排水弁の開閉がモードごとに電気的に連動する残り湯利用システムのバルブ構成とマイコン利用の電気制御方式。
【請求項２】
電気を用いてモータまたは流体の入り切りで開閉作動させるピストンシリンダー式やダイヤフラム式のポップアップ浴槽水栓と排水弁との２個のバルブで構成していて、
一つの回転式切換スイッチまたは個別のモード切換スイッチで各モードである・入浴モード・残り湯利用モード・清掃モードへ任意切換えが可能とすることを特徴とした請求項１に記載の残り湯利用システムのバルブ構成とマイコン利用の電気制御手段。
【請求項３】
手動ポップアップ浴槽水栓と流体を用いて開閉する排水弁との２個のバルブで構成していて、
手動ポップアップ浴槽水栓の押しボタンを利用したスイッチを用いて押す操作のみで電気回路がＮＯとＯＦＦに切換り・入浴モード・残り湯利用モード・清掃モード、次に・入浴モードへと戻り順次切換え可能とすることを特徴とした請求項１に記載の残り湯利用システムのバルブ構成とマイコン利用の電気制御手段。
【請求項４】
浴槽水栓の開放と排水弁の閉止の残り湯利用モード時のみ送水ポンプの運転が可能な条件となり、
送水ポンプが必要な位置にある便器で水道水と残り湯の両方利用可能なロータンク式便器のロータンクには水位センサーを有していて、前記水位センサーのＯＮ／ＯＦＦで送液ポンプの運転停止制御を行ない、
浴槽の残り湯が無くなった場合の送水ポンプ空運転防止手段として空運転継続防止タイマーを電気回路に組入れたことを特徴とした請求項１から３に記載の残り湯利用システムのバルブ構成とマイコン利用の電気制御方式。
【請求項５】
浴槽水栓の開放と排水弁の閉止の残り湯利用モード時のみ送水ポンプの運転が可能な条件となり、
送水ポンプが必要な位置にある便器で水道水と残り湯の両方利用可能なロータンク式便器のロータンクには水位センサーを有していて、前記水位センサーのＯＮ／ＯＦＦで送液ポンプの運転停止制御を行ない、
浴槽の残り湯が無くなった場合の送水ポンプ空運転防止手段として浴槽水位低下センサーを電気回路に組入れたことを特徴とした請求項１から３に記載の残り湯利用システムのバルブ構成とマイコン利用の電気制御方式。
【請求項６】
浴槽水栓の開放と排水弁の閉止の残り湯利用モード時のみ送水ポンプの運転が可能な条件となり、
送水ポンプが必要な位置にある便器で水道水と残り湯の両方利用可能なロータンク式便器または水道水直圧式便器の便器洗浄開始操作で送液ポンプがスタートし、電気回路に組込んだタイマーによって送液ポンプを自動停止させることを特徴とした請求項１から３に記載の残り湯利用システムのバルブ構成とマイコン利用の電気制御方式。
【請求項７】
入浴モード時のみ給湯器から浴槽への湯張りや足し湯が可能となることを特徴とした請求項１から６に記載の残り湯利用システムのバルブ構成とマイコン利用の電気制御方式。
【発明の詳細な説明】
【技術分野】
【０００１】
本発明は、浴槽の残り湯利用システムを構成する浴槽水栓とその下流側の排水弁の開閉に係る電気制御方式に関するものである。
【背景技術】
【０００２】
近年、居住者の多くが安全、安心また健康で快適な居住空間の提供を望み住宅等建物の
付帯設備もかなり充実してきている。
その中で、病気にならず健康を維持する上でも入浴は大切です。
日々の入浴に前日や前々日の残り湯を追い炊きし入浴している家庭も多くあります。
しかし、前日や前々日の浴槽の残り湯には雑菌が多く追い炊きして入浴すると感染症等の病気を引き起こし決して衛生的な入浴スタイルではありません。
【０００３】
残り湯を追い炊きしている理由には水道代もあるようですが、残り湯は若干温度が高いこともあり温めるのにガス代が少なくて済むと考えているようす。
しかし、追い炊き入浴の方がガス代は多くかかるとのテーターもあるのです。
これからは、家族の健康を考えても日々の入浴スタイルを見直すことで、追い炊き入浴を排除し、毎回、新しいお風呂に入浴する。
そして、水道代や電気、ガス代の光熱費を減らすスマートで衛生的な入浴スタイルが望ましいのです。
【先行技術文献】
【特許文献】
【０００４】
【特許文献１】特許５１８０１３６公報
【発明の概要】
【発明が解決しようとする課題】
【０００５】
日々の入浴に雑菌の多い前日や前々日の残り湯を追い炊きし入浴する遣り方から、毎回、新しいお風呂で入浴する入浴スタイルへ見直すことで健康を維持向上させ、且つ、水道代や光熱費を減らせるスマートな入浴スタイルの具現化を課題とした。
【０００６】
雑菌の多い前日や前々日の残り湯を追い炊きし入浴することで雑菌による病気の発生が実際に報告されています。
病気には男性や女性の区別が無くレジオネラ菌を肺に吸込み死亡したとする事故例も多い。
また、尿路に炎症が起こる尿路感染症は排尿の際に不快感があるのが特徴で、男性よりも女性は尿道が短いため女性の患者様が多い病気で、女性は男性より病気になる可能性が大きいとのデーターが報告されています。
このように追い炊き入浴は雑菌による感染症のリスクが高く国民医療費削減の意味からも『スマートな新しい入浴スタイル』の普及拡大を図る必要があるのです。
本発明は、本課題を解決する一つの手段として故障がなく使用勝手の良い残り湯利用システムのバルブ構成と電気制御方式を安価な方法で具現化し提供することが目的である。
【課題を解決するための手段】
【０００７】
前記目的を達成するため本発明は、以下の技術的手段を講じた。
第１に、浴槽水栓の下流側に排水弁を有している残り湯利用システムにおいて、
電気を用いてモータまたは流体の入り切りで開閉作動させるピストンシリンダー式やダイヤフラム式のポップアップ浴槽水栓または手動で開閉を行なうポップアップ浴槽水栓と前記排水弁の開閉がモードごとに電気的に連動する残り湯利用システムのバルブ構成とマイコン利用の電気制御方式とした。
【０００８】
第２に、電気を用いてモータまたは流体の入り切りで開閉作動させるピストンシリンダー式やダイヤフラム式のポップアップ浴槽水栓と排水弁との２個のバルブで構成していて、
一つの回転式切換スイッチまたは個別のモード切換スイッチで各モードである・入浴モード・残り湯利用モード・清掃モードへ任意切換えが可能とする残り湯利用システムのバルブ構成とマイコン利用の電気制御手段とした。
【０００９】
第３に、手動ポップアップ浴槽水栓と流体を用いて開閉する排水弁との２個のバルブで構成していて、
手動ポップアップ浴槽水栓の押しボタンを利用したスイッチを用いて押す操作のみで電気回路がＮＯとＯＦＦに切換り・入浴モード・残り湯利用モード・清掃モード、次に・入浴モードへと戻り順次切換え可能とする残り湯利用システムのバルブ構成とマイコン利用の電気制御手段とした。
【００１０】
第４に、浴槽水栓の開放と排水弁の閉止の残り湯利用モード時のみ送水ポンプの運転が可能な条件となり、
送水ポンプが必要な位置にある便器で水道水と残り湯の両方利用可能なロータンク式便器のロータンクには水位センサーを有していて、前記水位センサーのＯＮ／ＯＦＦで送液ポンプの運転停止制御を行ない、
浴槽の残り湯が無くなった場合の送水ポンプ空運転防止手段として空運転継続防止タイマーを電気回路に組入れた残り湯利用システムのバルブ構成とマイコン利用の電気制御方式とした。
【００１１】
第５に、浴槽水栓の開放と排水弁の閉止の残り湯利用モード時のみ送水ポンプの運転が可能な条件となり、
送水ポンプが必要な位置にある便器で水道水と残り湯の両方利用可能なロータンク式便器のロータンクには水位センサーを有していて、前記水位センサーのＯＮ／ＯＦＦで送液ポンプの運転停止制御を行ない、
浴槽の残り湯が無くなった場合の送水ポンプ空運転防止手段として浴槽水位低下センサーを電気回路に組入れた残り湯利用システムのバルブ構成とマイコン利用の電気制御方式とした。
【００１２】
第６に、浴槽水栓の開放と排水弁の閉止の残り湯利用モード時のみ送水ポンプの運転が可能な条件となり、
送水ポンプが必要な位置にある便器で水道水と残り湯の両方利用可能なロータンク式便器または水道水直圧式便器の便器洗浄開始操作で送液ポンプがスタートし、電気回路に組込んだタイマーによって送液ポンプを自動停止させる残り湯利用システムのバルブ構成とマイコン利用の電気制御方式とした。
【００１３】
第７に、入浴モード時のみ給湯器から浴槽への湯張りや足し湯が可能となる残り湯利用システムのバルブ構成とマイコン利用の電気制御方式とした。
【発明の効果】
【００１４】
本発明は、追い炊き入浴による感染症のリスクが回避でき健康で安心快適な『衛生的でスマートな新しい入浴スタイル』の商品が提供できる。
【図面の簡単な説明】
【００１５】
【図１】残り湯利用システムのバルブ構成と電気回路接続概略図
【図２】マイコンを利用した電気制御回路のモード切換スイッチ式概略図
【図３】マイコンを利用した電気制御回路のポップアップ浴槽水栓スイッチ式概略図
【発明を実施するための形態】
【００１６】
以下、本発明の実施の形態を図１〜図３の概略図に基づいて実施例１、実施例２また実施例３を説明する。
【実施例１】
【００１７】
実施例１の図１、図２は第２の技術的手段で、残り湯利用システムのバルブ構成と電気回路接続概略図およびマイコンを利用した電気制御回路のモード切換スイッチ式概略図で、モード切換スイッチ２７を指定モードに切換えることでマイコン２０を通じて・入浴モード・残り湯利用モード・清掃モードへの任意切換えが可能となっている。
【００１８】
入浴モード時は流体の空気または水で開閉作動するピストンシリンダー式ポップアップ浴槽水栓４７が閉止状態となって、リレー２３によって給湯機器から浴槽への自動湯張りが可能な状態となり湯張りが完了すれば入浴できる。
給湯機器と結ぶ給湯機器側給湯バルブ７２用のリレー２３は入浴モード時のみ自動湯張りと足し湯が可能となっているので、既存製品とは違い誤って浴槽水栓を開いたまま湯張りをする心配がない。
電気的にはモード切換スイッチ２７を入浴モードに指定するとマイコン２０からＤＣで動くリレー２６を経由してＡＣ１００Ｖで動く電磁バル４６で空気を遮断放出することでピストンシリンダー式ポップアップ浴槽水栓４７を閉止状態にしている。
原則、ピストンシリンダー式ポップアップ浴槽水栓４７は停電時に閉止となる。
【００１９】
残り湯利用モード時はピストンシリンダー式ポップアップ浴槽水栓４７が開放で排水弁４２は閉止状態となっていて、浴槽から便器６５また洗濯機６０への残り湯が利用可能となる。
浴槽の水位よりも便器６５の位置が高い場合は送水ポンプ５２で送水することになる。
他に、浴槽が２階の場合などは１階の便器であれば落差で送水が可能なので送水ポンプ５２の設置は必要なくなる。
電気的にはモード切換スイッチ２７を残り湯利用モードに指定するとマイコン２０からＤＣで動くリレー２６を経由してＡＣ１００Ｖで動く電磁バル４６から空気が供給されピストンシリンダー式ポップアップ浴槽水栓４７は開放する。
同時に、ＤＣで動くリレー２４を経由してＡＣ１００Ｖで動く電磁バル４１から空気が供給され排水弁４２は閉止する。
原則、排水弁４２は停電時に開放となる。
【００２０】
浴槽の水位よりも便器６５の位置が高い場合は送水ポンプ５２で送水する。
例えば、排便後に便器６５に水を流すが便器６５のロータンクには水位センサー２９が付いていて水位が低下するとマイコン２０からリレー２５と使用電流値の高いリレー５１により送水ポンプ５２は運転を開始し、略２０秒でロータンクの水位が正常に戻ると送水ポンプ５２が停止する。
次に、送液ポンプ５２の空運転防止手段としては浴槽の残り湯が無くなった場合に送水ポンプ５２の空運転が継続しないようマイコン２０の電気回路に３０秒で強制的に切る空運転継続防止タイマー２２を組込む方法、または浴槽水位センサー９９のどちらかの方法を採用している。
原則、残り湯利用モード時のみ送水ポンプ５２の運転が可能な電気回路となっている。
【００２１】
清掃モード時はピストンシリンダー式ポップアップ浴槽水栓４７が開放で排水弁４２も開放の状態である。
電気的にはモード切換スイッチ２７を清掃モードに指定するとマイコン２０からＤＣで動くリレー２４を経由してＡＣ１００Ｖで動く電磁バルブ４１で空気が遮断放出され排水弁４２を開放すると同時にリレー２６と電磁バルブ４６とで空気を供給しピストンシリンダー式ポップアップ浴槽水栓４７は開放する。
【００２２】
浴槽内の洗剤を洗い流した後にモード切換スイッチ２７で入浴モードに指定すれば湯張りが可能な入浴スタンバイ状態となる。
【実施例２】
【００２３】
実施例２の図３は第３の技術的手段で、マイコンを利用した電気制御回路のポップアップ浴槽水栓スイッチ式概略図で、ポップアップ浴槽水栓スイッチ８７の押しボタンを押すごとにＯＮとＯＦＦへ切換りマイコン８０を通じて・入浴モード・残り湯利用モード・清掃モードへと順次切換る。
【００２４】
入浴モード時は手動ポップアップ浴槽水栓８８が閉止状態となって、リレー２３によって給湯機器から浴槽への自動湯張りが可能な状態で湯張りが完了すれば入浴できる。
給湯機器と結ぶ給湯機器側給湯バルブ７２用のリレー２３は入浴モード時のみ自動湯張りと足し湯が可能となっているので、既存製品とは違い誤って浴槽水栓を開いたまま湯張りをする心配がない。
例えば、手動ポップアップ浴槽水栓８８と排水弁４２の両方を閉止する方式を採用する場合、電気的にはポップアップ浴槽水栓スイッチ８７で入浴モードにするとマイコン８０からＤＣで動くリレー２４を経由してＡＣ１００Ｖで動く電磁バル４１から空気を供給し排水弁４２を閉止状態にすることで２重閉止方式も可能である。
【００２５】
残り湯利用モード時は手動ポップアップ浴槽水栓８８が開放状態で排水弁４２は閉止状態となっていて、浴槽から便器６５また洗濯機６０への残り湯が利用可能となる。
浴槽の水位よりも便器６５の位置が高い場合は送水ポンプ５２で送水することになる。
他に、浴槽が２階にある場合などは１階の便器であれば落差での送水が可能なので送水ポンプ５２の設置が必要なくなる。
電気的にはポップアップ浴槽水栓スイッチ８７の押しボタンを押すと残り湯利用モードへ切換る。
同時に、マイコン８０からＤＣで動くリレー２４を経由してＡＣ１００Ｖで動く電磁バル４１から空気が供給され排水弁４２は閉止する。
原則、排水弁４２は停電時に開放となる。
【００２６】
浴槽の水位よりも便器６５の位置が高い場合は送水ポンプ５２で送水する。
例えば、排便後に便器６５に水を流すが便器６５のロータンクには水位センサー２９が付いていて水位が低下するとマイコン８０からリレー２５と使用電流値の高いリレー５１により送水ポンプ５２は運転を開始し、略２０秒でロータンクの水位が正常に戻ると送水ポンプ５２が停止する。
次に、送液ポンプの空運転防止手段としては浴槽の残り湯が無くなった場合に送水ポンプ５２の空運転が継続しないようマイコン８０の電気回路に３０秒で強制的に切る空運転継続防止タイマー２２を組込む方法、または浴槽水位センサー９９のどちらかの方法を採用している。
原則、残り湯利用モード時のみ送水ポンプ５２の運転が可能な電気回路となっている。
【００２７】
清掃モード時は手動ポップアップ浴槽水栓８８が開放で排水弁４２も開放の状態である。
電気的にはポップアップ浴槽水栓スイッチ８７の押しボタンを２回押すと清掃モードへ切換りマイコン８０からＤＣで動くリレー２４を経由してＡＣ１００Ｖで動く電磁バルブ４１で空気が遮断放出され排水弁４２を開放する。
【００２８】
浴槽内の洗剤を洗い流した後にポップアップ浴槽水栓スイッチ８７の押しボタンを１回押すと手動ポップアップ浴槽水栓８８は閉止となり湯張りが可能な入浴スタンバイ状態となる。
【実施例３】
【００２９】
実施例３は第６の技術的手段で、ポップアップ浴槽水栓スイッチ８７とマイコンを利用した電気制御回路では手動ポップアップ浴槽水栓８８の開放と排水弁の閉止の残り湯利用モード時のみ送水ポンプの運転が可能な条件となり、
送水ポンプが必要な位置にある便器６５で水道水と残り湯の両方利用可能なロータンク式便器または水道水直圧式便器の便器洗浄開始操作で送液ポンプ５２がスタートし、電気回路に組込んだタイマーによって送液ポンプ５２を自動停止させることを特徴とした単純な残り湯利用システムのバルブ構成とマイコン利用の電気制御方式である。
【００３０】
排水弁４２系統には２４時間タイマーが組み込まれており時間指定の例えば、１時から１８時の間は排水弁４２が自動閉止する。
排水弁４２が閉止状態にある１時から１８時の間にポップアップ浴槽水栓８８を開放すると残り湯利用は可能で送水ポンプ５２の運転が可能な条件となり便器洗浄開始操作で送液ポンプ５２がスタートし、電気回路に組込んだタイマーによって送液ポンプ５２は自動停止させます。
【００３１】
１８時には排水弁４２が自動的に開放し残り湯が残っていれば排水され浴槽を洗うことが可能となる。
清掃後に手動ポップアップ浴槽水栓８８を閉止すればリレー２３によって給湯機器から浴槽への自動湯張りが可能で湯張りが完了すれば入浴できる。
この簡単操作の残り湯利用システムは決まった生活スタイルの家庭向きとなっている。
【００３２】
尚、水道水と残り湯の両方利用可能なロータンク式便器への水道給水量調整弁は１２０秒で満杯となるよう絞っており、残り湯の補給が略２０秒で完了するので単純計算で１/６の水道水使用量のみになる。
当然、残り湯が無い場合は全量水道水となるので１２０秒（２分間）待たないとロータンクが満杯にはならない。
また、・入浴モード・残り湯利用モード・清掃モードの表示ランプはＬＥＤなど消費電力の少ないランプ表示が好ましい。
他、表示方法や場所などその詳細は省略する。
【産業上の利用可能性】
【００３３】
浴槽で入浴する習慣のある国内また外国の寒い地域で残り湯利用システムを普及拡大を図ることは地球環境にも良く渇水の解消にも結びつく。
【符号の説明】
【００３４】
１、２  マイコン利用の電気回路図
２０、８０  マイコン
２１  ＡＣ／ＤＣコンバーター
２２  空運転継続防止タイマー
２３  ２４、２５、２６  リレー
２７  モード切換スイッチ
２９  水位センサー
４１、４６  電磁バルブ
４２  排水弁
４７  ピストンシリンダー式ポップアップ浴槽水栓
５１  リレー
５２  送水ポンプ
６０  洗濯機
６５  便器
７１  給湯機器側端子台
７２  給湯機器側給湯バルブ
８７  ポップアップ浴槽水栓スイッチ
８８  手動ポップアップ浴槽水栓
９９  浴槽水位低下センサー
【図１】
2015178755.tif 000003
【図２】
2015178755.tif 000004
【図３】
2015178755.tif 000005